(57)【要約】【課題】日本の伝統技術で作られている貴金属箔（金箔、銀箔、白金等）は、本来布や漆器、屏風、部屋等の完成間近の作品に張り付けて使用されているのみであり、貴金属箔自身が主役となり造形作品を作ることは不可能であった。そのため貴金属箔を使用した造形用材が求められていた。【解決手段】芯材としての金属箔１の片面に接着部材５を介して布材２を貼着するとともに、その反対側の面に塗装材４を介して貴金属箔３を貼着した造形用金属折り紙であり、適度の剛性と折り目の保持性があり、これにより制作した造形作品に重厚さと立体感を付与するとともに、高級感と華麗な輝きを発揮させ意匠的に優れた作品を制作可能とする造形用材を提供する。【選択図】  図２
2015036010.tif 000002
【特許請求の範囲】
【請求項１】
芯材としての金属箔の片面に接着部材を介して布材を貼着するとともに、その反対側の面に塗装材を介して貴金属箔を貼着した造形用金属折り紙
【請求項２】
金属箔として銅箔を、また塗装材として黒漆を使用し、それに貴金属箔として金箔を使用し、布材として加賀友禅もしくは京友禅を使用した請求項１の造形用金属折り紙
【請求項３】
布材、金属箔を同じ大きさとし、貴金属箔の大きさおよび塗装材の塗装面積を前記布材、金属箔の大きさと同じにするか、貴金属箔と塗装材とを合わせた大きさを前記布材、金属箔の大きさと同じにしたことを特徴とした請求項１もしくは請求項２の造形用金属折り紙
【発明の詳細な説明】
【技術分野】
【０００１】
本発明は従来知られた折り紙や色紙・千代紙のような紙状造形作品の創作材料（造形用創作紙）に代えて、芯材として片方の面に塗装材（例えば黒漆）を塗装し他方の面に接着部材を塗布した金属箔（例えば銅箔）を使用し、その金属箔（銅箔）の接着部材を塗布した
面に布材を、また塗装材（黒漆）を塗装した面には貴金属箔（例えば金箔）を貼着したことを特徴とする造形用金属折り紙を提案するものであり、意匠性に優れた折り細工・切り細工・貼り細工等を創作可能にしたものである。
【背景技術】
【０００２】
造形用創作紙としては、これまでにも繊細で美しい造形作品の制作が可能なものとして、アルミニュウム箔の両面に繊維の織り密度が小さい布を貼着し、その繊維の間からアルミニュウム箔の輝きを得るという造形用創作布が開示されている。（特許文献１参照）
【先行技術文献】
【特許文献】
【０００３】
【特許文献１】特開２００２−２２４４６４号公報
【発明の概要】
【発明が解決しようとする課題】
【０００４】
しかしこの特許文献１の造形用創作布においては両面に布を使用しているため、繊維密度が高いものでは下面のアルミニウム箔の輝きを得るという効用がなくなり、また繊維密度の小さい布を使用した場合ではアルミニウム箔の輝きが強いため布の絵柄が分かりづらいという欠点を有していた。またこの特許文献１に示された造形用創作布では、アルミニウム箔が酸化することで光沢が失われるだけでなく、長期間の保存が出来ないという欠点も有していた。
【課題を解決するための手段】
【０００５】
本発明は上記課題を解決するために以下のような技術的手段を講じたものである。すなわち芯材としての金属箔の片面に接着部材を介して布材を貼着するとともに、その反対側の面に塗装材を介して貴金属箔を貼着した造形用金属折り紙を提供するものである。
【０００６】
本発明は芯材として金属箔を使用することにより適度の剛性と折り目の保持性が付与されることで、表面素材である布材、貴金属箔の弱点を補強することができる。また布材に美麗な素材を使用し、貴金属箔に輝きのある素材を採用することで、意匠的効果の高い造形作品を制作できるものである。
【０００７】
貴金属箔（金箔、銀箔、白金箔等を使用できる）は、漆器や屏風、建物等に張り付けて美観を極めるという日本伝統の技術で使用されてきているが、従来は作業性向上の観点からシート化したものを使用している。しかしこのシート化して使用している貴金属箔では例えば折鶴等の造形作品を作る事は強度の面から不可能であった。そこで本発明ではこの課題を、貴金属箔を芯材の金属箔に貼着する形で使用することで解決したことに特徴を有するものである。
【０００８】
また、上記発明において金属箔として銅箔を、また塗装材として黒漆を使用し、それに貴金属箔として金箔を、また布材として加賀友禅もしくは京友禅を使用した発明を提供するものである。  
【０００９】
本発明では、金属箔として銅箔を使用しているため、銅箔の表面が酸化することで銅内部の腐食を防止し、造形作品の長期間の保存を可能にする利点を有している。また本発明で  は貴金属箔として金箔を使用し、その背後に塗装する塗装材として黒漆を使用することで、貴金属箔、黒漆両者の機能の相乗効果が発揮されるため、本発明造形用金属折り紙を使用して制作した造形作品に大きな美的効果を与えることができるものである。本発明では布材として加賀友禅や京友禅を使用することで、この造形用金属折り紙を使用した造形作品に雅な美しさを付与できる効果を有している。
【００１０】
また本発明では、上記の両発明において布材（たとえば加賀友禅、京友禅）、金属箔（たとえば銅箔）を同じ大きさとし、貴金属箔（たとえば金箔）の大きさおよび塗装材（たとえば黒漆）の塗装面積を前記布材、金属箔の大きさと同じにするか、貴金属箔と塗装材とを合わせた大きさを前記布材、金属箔の大きさと同じにしたことを特徴とした造形用金属折り紙を提供するものである。
【００１１】
本発明ではこの折り紙を使用して制作する造形作品に応じ、各種の折り紙を作成できる。すなわち通常は布材、金属箔、貴金属箔、塗装材の塗装面積を同じ大きさに作成するが、制作する造形作品に応じて貴金属箔、塗装材の面積の割合を変えることも考慮したものである。
【発明の効果】
【００１２】
本発明は、特に日本の伝統技術である黒漆と貴金属箔との効用、および加賀友禅、京友禅のような雅な美しさを意識して、これらの使用を実現できる造形用金属折り紙を提供するものであり、以下のような効果を有する。
【００１３】
すなわち本発明においては、特に布材と金属箔（銅箔）が重合されているため、折り細工などをするときに適度の剛性が与えられ、折り目の保持性が付与されることで、繊細な美しさを持ち、長期保存が可能な造形作品を制作することが出来、また作品に布材、金属箔（銅箔）から得られる重厚さや立体感を付与できる効果を有している。また布材に日本の伝統工芸である、模様・色彩が豊かな加賀友禅、京友禅などを使用すれば、造形作品に貴重価値が増し、高級感のある新規性豊かで独創的、創造的な作品を創造することが出来る。
【００１４】
また本発明では、金属箔（銅箔）に塗装材（黒漆）を塗装しその上面に貴金属箔（金箔）を貼付したものであるため、塗装材である黒漆特有の深みのある黒色によって、貴金属箔（金箔等）の華麗な輝きが強く発揮され、意匠性に優れた造形作品を制作することが出来る。
【００１５】
またこの造形用金属折り紙は、この造形用金属折り紙を使用して制作する造形作品に応じてその大きさを、金属箔と布材とを同じ大きさとするとともに、これら金属箔と布材に貼着する貴金属箔の大きさと塗装材の塗装面積とを前記金属箔と布材の大きさと同じにするか、それら金属箔と布材の大きさより小さくすることを特徴としているもので、この本発明造形用金属折り紙の使用用途を拡大できるものである。
【図面の簡単な説明】
【００１６】
【図１】本発明造形用金属折り紙の主要部を示す分解斜視図
【図２】本発明造形用金属折り紙の内部構造を示す一部断面図
【図３】本発明造形用金属折り紙を用いて折り上げた兜の斜視図
【図４】鶴の箸置き制作用の本発明造形用金属折り紙の展開図
【図５】図４で示した本発明造形用金属折り紙を用いて折り上げた鶴の箸置きの斜視図
【発明を実施するための形態】
【００１７】
本発明造形用金属折り紙は、図１と図２で示したように、芯材としての金属箔１の片面に接着部材５により布材２を貼着するとともに、その反対側の面に塗装材４を介して貴金属箔３を貼着したもので、特に金属箔１の腐食防止や美的効果の拡大のため、たとえば金属箔１として銅箔を、また塗装材４として黒漆を使用し、それに貴金属箔３として金箔を使用し、布材２として加賀友禅もしくは京友禅を使用することを可能としたものである。
【００１８】
またこの造形用金属折り紙を作成する場合に、布材２、金属箔１の大きさを同じ大きさとし、貴金属箔３の大きさおよび塗装材４の塗装面積を前記布材２、金属箔１の大きさと同じか、それらより小さくして作成することによって、これを使用して制作する折り紙のような造形作品に対応できるようにしたものである。
【００１９】
上記の構成を詳述すると、金属箔１は主に銅箔を使用しており（銅箔と同じ使用効果を奏する金属箔の使用も可能である）、ホームセンター等で広く販売されている厚さ０．１mm（１００μm）程のものを使用する。この金属箔１の一面（図面では下面）には、焼付け、サンドプラストまたはプライマー処理により塗装材４（黒漆）を塗装し、この塗装材４（黒漆）の上に後記貴金属箔３を貼着する。
布材２はこの金属箔１（例えば銅箔）と同じ形状（正方形）、大きさで作成し、金属箔１（例えば銅箔）の塗装材４（例えば黒漆）を塗装した面と反対側の面（図面では上面）に接着部材５を用いて貼着する。
【００２０】
布材２は必要に応じて加賀友禅や京友禅など華麗な色彩、模様を持つ素材も使用する。貴金属箔３（金箔、銀箔、白金箔等があるが金箔が最適である）は、金属箔１（銅箔）、布材２と同じ形状、大きさで作成し、金属箔１（銅箔）に、焼付け、サンドプラストまたはプライマー処理により塗装した塗装材４（黒漆）の上に貼着する。この貴金属箔３（金箔）および塗装材４（黒漆）は本発明造形用金属折り紙で制作する折り紙のような造形作品によって、前記金属箔１（銅箔）、布材２の大きさよりも小さな大きさとすることもある。なお貴金属箔３（金箔）の保護の観点から塗装材４（黒漆）を塗装し貴金属箔３（金箔）を貼着した全体に透明コーティング材６（透明ニスを使用）を塗装する。また接着部材５はボンド、接着剤、スプレー糊などを使用する。
【００２１】
本発明造形用金属折り紙は上記正方形に限らず長方形、円形等適宜の形状を選択しても良く、大きさも必要に応じて任意の大きさのものを作成すれば良い。正方形、長方形などのように、隅に直角端などが形成される形状のものの場合には、造形作品の制作中に指を引っ掛けて怪我をすることのないよう、この隅の箇所をアール形状に作成する。また造形用金属折り紙全体の厚さについては、剛性や折り曲げ成形加工の容易さなどを考慮すると、最大でも１mm（１０００μm）までのものが良い。
【００２２】
本発明造形用金属折り紙を作成するときは、金属箔１（銅箔）の片面に、焼付け、サンドプラストまたはプライマー処理により塗装材４（黒漆）を塗装し、その塗装材４（黒漆）の上に、貴金属箔（金箔）３を貼着する。また金属箔１（銅箔）の反対側の面に接着部材５を塗布し、その接着部材５の上面に布材２を貼着させる。
【００２３】
このように配置した各部材を、当て布のような緩衝部材を介して布材２の上側、貴金属箔３の下側から加熱部材（たとえばアイロン、加熱ロール等）で押圧することにより布材２、金属箔１（銅箔）、塗装材４（黒漆）、貴金属箔３（金箔）を一体化、積層化して作成するものである。図２で示した断面図はこの積層化したものを示している。
【００２４】
これらの素材を加熱、加圧するという作成工程を経ることで、適度の剛性と折り目の保持性が付与され、この造形用金属折り紙を使用して制作された造形作品に長期間の保存を可能にしている。またこの造形用金属折り紙を使用して造形作品を制作したとき表面に現れる布材２と貴金属箔３（金箔）から優美華麗な美しさを発揮させることが出来るものである。
【００２５】
上述のような構造の造形用貴金属箔においては、布材２を加賀友禅や京友禅に、また貴金属箔３を金箔もしくは銀箔にすることで造形作品を所望に応じて変更することが可能である。例えば金の鶴や銀の亀また銅の兜といったメダルや、金婚式や銀婚式のお祝い鶴等のような長期間保存が可能な作品を制作し演出することが出来るものである。
【００２６】
図３では、本発明造形用金属折り紙を使用して折り上げ制作した「兜」を示すものである。この兜の本体部外側は布材２が表面に現れ、兜の正面と正面折り返し部には貴金属箔３が現れている。そのため布材２の素材を兜に適合したものを選ぶことで、布材２と貴金属箔３による好みの兜の作品を制作することができる。この兜のように折り細工として造形用材の表面、裏面（布材２もしくは貴金属箔３）を造形作品の異なった箇所に現わせて制作するものにおいては、作品の一部に布材２、他の箇所には貴金属箔３を表面に出現させ、興味深い美麗な造形作品を制作することができるものである。
【００２７】
また図４、図５は本発明造形用金属折り紙を使用して割り箸７用の「鶴の箸置き」を制作用に適した造形用金属折り紙の展開図（図４）と制作した鶴の置き箸を示す図面（図５）である。
【００２８】
この造形用金属折り紙はこれまで説明してきたものとほぼ同じ構成であるが、相違しているのは金属箔１（銅箔）の一面に設けた塗装材４（黒漆）と貴金属箔３（金箔）の占める大きさ（面積）が、図４で示したように塗装材４（黒漆）がほぼ４分の３、貴金属箔３（金箔）がほぼ４分の１の大きさ（面積）とし、この貴金属箔３（金箔）の辺の長さの半分程まで切り込みを入れている点である。これは図５で示しているように、制作する造形作品（この場合「鶴の箸置き」）用に作成されたものであるからである。すなわち「鶴の箸置き」を制作するとき、塗装材４（黒漆）、貴金属箔３（金箔）の箇所が鶴の部分に相当するためのものであることを示している。このように制作する工芸作品に応じて造形用金属折り紙の塗装材４（黒漆）、貴金属箔３（金箔）の大きさや位置を変更して作成する。
【００２９】
したがって本発明造形用金属折り紙は、布材２、金属箔１（銅箔）、塗装材４（黒漆）、貴金属箔３（金箔）を主要構成要素とするもので、これを使用して制作された造形作品に、以下のような効能を発揮させることを特徴とする。
【００３０】
すなわち布材２特有の重厚さや立体感を造形作品に付与し、特にこの布材２として加賀友禅や京友禅を使用したものにおいては美的効果のある高級感を与えるものである。また貴金属箔（金箔等）を使用していることについては、繊細で美しい造形作品の制作を可能とし、これが奏でる華麗な光輝性・貴重価値性を造形作品に発揮させることができる。
【００３１】
特に折り紙として折った造形作品は、作品ごとに折り方が異なるものであるため、作品の折り方によって、図３で示した「兜」のように、表裏両面が（表面が布材２、裏面が貴金属箔３）その作品の別の複数個所に別個に現れるものがある（この場合、作品の一部が布材２、別の箇所に貴金属箔３が現れて制作される）が、このような作品の制作に本発明造形用金属折り紙は適している。
【００３２】
また同じく図４、図５で示した「鶴の箸置き」のように、折り方によって作品の別々の箇所に表面の素材（たとえば布材２）と裏面の素材（たとえば貴金属箔３であった貴金属箔３の無い塗装材４）が現れるものがあるが、この場合にも布材２とその裏側になる貴金属箔３や塗装材４（黒漆）が有効に機能して、極めて美麗で芸術的に優れた造形作品を制作できるものである。
【符号の説明】
【００３３】
１    金属箔（銅箔）
２    布材
３    貴金属箔（金箔）
４    塗装材（黒漆）
５    接着部材
６    コーティング材
７    割り箸
【図１】
2015036010.tif 000003
【図２】
2015036010.tif 000004
【図３】
2015036010.tif 000005
【図４】
2015036010.tif 000006
【図５】
2015036010.tif 000007